(57)【特許請求の範囲】
【請求項１】
複数のコンテンツブロックから構成されるデジタル著作物であるコンテンツを送信するコンテンツ送信装置であって、
前記コンテンツブロックごとに、前記コンテンツのコピーの許否を示すコピー制御情報、前記コンテンツを識別するコンテンツ識別情報、及び、前記コンテンツブロックの前記コンテンツ全体における位置を示すコンテンツ位置情報を前記コンテンツブロックに対応する制御パケットに格納して送信することを前記複数のコンテンツブロックについて繰り返す同期送信手段を備え、
前記コンテンツ位置情報は、少なくとも、前記コンテンツにおける「先頭部」を示す既定の第一の位置情報および前記コンテンツにおける「終了部」を示す既定の第二の位置情報を含み、
前記第一の位置情報は、前記コンテンツの先頭から続く２以上の所定のコンテンツブロックに対応する制御パケットに格納されて送信され、
前記第二の位置情報は、前記コンテンツの終了へ続く２以上の所定のコンテンツブロックに対応する制御パケットに格納されて送信される
ことを特徴とするコンテンツ送信装置。
【請求項２】
前記コンテンツ送信装置はさらに、送信するコンテンツがコピー許可回数と関連するコピーであるか否かを判断する判断手段を備え、
前記同期送信手段は、前記判断手段によってコピー許可回数と関連するコピーであると判断された場合に、前記コンテンツブロックごとに、前記コピー制御情報、前記コンテンツ識別情報及び前記コンテンツ位置情報を前記コンテンツブロックに対応する制御パケットに格納して送信し、コピー許可回数と関連するコピーでないと判断された場合に、前記コンテンツブロックごとに、前記コピー制御情報及び前記コンテンツ識別情報を前記コンテンツブロックに対応する制御パケットに格納して送信する
ことを特徴とする請求項１記載のコンテンツ送信装置。
【請求項３】
前記コンテンツ送信装置はさらに、記録媒体から、前記コンテンツブロックごとに、対応する前記コンテンツブロック、前記コピー制御情報、前記コンテンツ識別情報及び前記
コンテンツ位置情報を繰り返し読み出す読み出し手段を備え、
前記同期送信手段は、前記読み出し手段によって読み出された前記コンテンツブロック、前記コピー制御情報、前記コンテンツ識別情報及び前記コンテンツ位置情報を送信する
ことを特徴とする請求項１記載のコンテンツ送信装置。
【請求項４】
前記コンテンツ送信装置はさらに、前記記録媒体から読み出したコンテンツ識別情報が有効なデータであるか否かを示す有効性フラグを生成する有効性フラグ生成手段を備え、
前記同期送信手段は、前記コンテンツ識別情報に前記有効性フラグを付随させて前記コンテンツ識別情報を送信する
ことを特徴とする請求項３記載のコンテンツ送信装置。
【請求項５】
前記有効性フラグ生成手段は、前記読み出し手段による前記記録媒体の読み出しモードが特殊再生であるか否か判断し、特殊再生である場合に、前記コンテンツ識別情報が無効であることを示す有効性フラグを生成する
ことを特徴とする請求項４記載のコンテンツ送信装置。
【請求項６】
前記コンテンツ識別情報は、複数のデータの連なりからなり、
前記有効性フラグ生成手段は、前記読み出し手段によって前記記録媒体から前記複数のデータの連なりが完全に読み出されたか否かを判断し、その結果に基づいて前記有効性フラグを生成する
ことを特徴とする請求項４記載のコンテンツ送信装置。
【請求項７】
前記コンテンツ識別情報を構成する複数のデータには、各データの順番を示す番号が含まれ、
前記有効性フラグ生成手段は、前記複数のデータに含まれる番号の連続性をチェックし、連続性が確認できた場合に、前記複数のデータが完全に読み出されたと判断し、前記コンテンツ識別情報が有効であることを示す有効性フラグを生成する
ことを特徴とする請求項６記載のコンテンツ送信装置。
【請求項８】
前記有効性フラグ生成手段は、前記コンテンツ識別情報が無効であることを示す有効性フラグを生成した場合に、前記コンテンツ識別情報を空白データにする
ことを特徴とする請求項４記載のコンテンツ送信装置。
【請求項９】
前記コンテンツ位置情報は、さらに、前記コンテンツにおける「中央部」を示す第三の位置情報を含み、
前記第三の位置情報は、前記第一の位置情報が格納される制御パケットに対応するコンテンツブロックに続き前記第二の位置情報が格納される制御パケットに対応するコンテンツブロックへ続くコンテンツブロックに対応する制御パケットに格納して送信される
ことを特徴とする請求項１記載のコンテンツ送信装置。
【請求項１０】
前記コピー制御情報、前記コンテンツ識別情報及び前記コンテンツ位置情報は、パケットとして送信され、
前記同期送信手段は、前記コンテンツ識別情報を２つのパケットに分割して送信するか、前記コンテンツ識別情報を圧縮することによって１つのパケットで送信するかを示すコンテンツ識別情報フラグを前記パケットに含ませて送信する
ことを特徴とする請求項１記載のコンテンツ送信装置。
【請求項１１】
複数のコンテンツブロックから構成されるデジタル著作物であるコンテンツを送信するコンテンツ送信方法であって、
前記コンテンツブロックごとに、前記コンテンツのコピーの許否を示すコピー制御情報
、前記コンテンツを識別するコンテンツ識別情報、及び、前記コンテンツブロックの前記コンテンツ全体における位置を示すコンテンツ位置情報を前記コンテンツブロックに対応する制御パケットに格納して送信することを前記複数のコンテンツブロックについて繰り返す同期送信ステップを含み、
前記コンテンツ位置情報は、少なくとも、前記コンテンツにおける「先頭部」を示す既定の第一の位置情報および前記コンテンツにおける「終了部」を示す既定の第二の位置情報を含み、
前記第一の位置情報は、前記コンテンツの先頭から続く２以上の所定のコンテンツブロックに対応する制御パケットに格納されて送信され、
前記第二の位置情報は、前記コンテンツの終了へ続く２以上の所定のコンテンツブロックに対応する制御パケットに格納されて送信される
ことを特徴とするコンテンツ送信方法。
【請求項１２】
複数のコンテンツブロックから構成されるデジタル著作物であるコンテンツを送信するコンテンツ送信装置のためのプログラムであって、
請求項１１記載のコンテンツ送信方法に含まれるステップをコンピュータに実行させる
ことを特徴とするプログラム。
【請求項１３】
複数のコンテンツブロックから構成されるデジタル著作物であるコンテンツを外部から受信し、記録媒体に記録するコンテンツ受信装置であって、
前記複数のコンテンツブロックは、前記コンテンツブロックごとに、前記コンテンツのコピーの許否を示すコピー制御情報、前記コンテンツを識別するコンテンツ識別情報、及び、前記コンテンツブロックの前記コンテンツ全体における位置を示すコンテンツ位置情報が前記コンテンツブロックに付随して順次送信され、
前記コンテンツ位置情報は、少なくとも、前記コンテンツにおける「先頭部」を示す既定の第一の位置情報および前記コンテンツにおける「終了部」を示す既定の第二の位置情報を含み、
前記第一の位置情報は、前記コンテンツの先頭から続く２以上の所定のコンテンツブロックに対応する制御パケットに格納されて送信され、
前記第二の位置情報は、前記コンテンツの終了へ続く２以上の所定のコンテンツブロックに対応する制御パケットに格納されて送信され、
前記コンテンツ受信装置は、
前記コンテンツブロック、前記コピー制御情報、前記コンテンツ識別情報及び前記コンテンツ位置情報を含む前記コンテンツを受信する受信手段と、
前記コピー制御情報がコピー許可回数を制限する旨を示している場合には、累積回数が前記コピー許可回数を超えない範囲で、前記コンテンツ識別情報が示すコンテンツを前記記録媒体に記録する記録手段とを備え、
前記記録手段は、前記記録するコンテンツの前記第一の位置情報及び前記第二の位置情報を確認したとき、前記累積回数を１だけ増加するように更新する
ことを特徴とするコンテンツ受信装置。
【請求項１４】
前記コンテンツ受信装置はさらに、前記コンテンツ識別情報ごとに、当該コンテンツ識別情報が示すコンテンツを前記受信手段が受信して前記記録手段が前記記録媒体に記録した前記累積回数を記録したコピー回数テーブルを記憶する記憶手段を備え、
前記記録手段は、前記記憶手段に記憶された前記コピー回数テーブルを参照することで、前記受信手段が受信したコンテンツ識別情報に対応する前記累積回数を読み出し、読み出した前記累積回数が前記受信手段が受信したコピー制御情報が示すコピー許可回数を超えていないか否かを判断する
ことを特徴とする請求項１３記載のコンテンツ受信装置。
【請求項１５】
前記コンテンツ位置情報は、さらに、前記コンテンツにおける「中央部」を示す第三の位置情報を含み、
前記第三の位置情報は、前記第一の位置情報が付随するコンテンツブロックに続き前記第二の位置情報が付随するコンテンツブロックへ続くコンテンツブロックに付随して送信され、
前記記録手段は、前記記録するコンテンツの前記コンテンツ位置情報が前記第一の位置情報、前記第三の位置情報及び前記第二の位置情報の順に遷移したことを確認できた場合に、前記累積回数を１だけ増加するように更新する
ことを特徴とする請求項１３記載のコンテンツ受信装置。
【請求項１６】
前記記録手段は、前記コンテンツ位置情報による確認に加えて、前記複数のコンテンツブロックに対応する前記コンテンツ識別情報がいずれも同一である場合に、前記累積回数を１だけ増加するように更新する
ことを特徴とする請求項１３記載のコンテンツ受信装置。
【請求項１７】
前記コンテンツ識別情報には、当該コンテンツ識別情報が有効なデータであるか否かを示す有効性フラグが付随し、
前記記録手段は、前記有効性フラグをチェックし、その結果、前記コンテンツ識別情報が無効である旨を示している場合には、前記コンテンツを前記記録媒体に記録する
ことを特徴とする請求項１３記載のコンテンツ受信装置。
【請求項１８】
複数のコンテンツブロックから構成されるデジタル著作物であるコンテンツを外部から受信し、記録媒体に記録するコンテンツ受信方法であって、
前記複数のコンテンツブロックは、前記コンテンツブロックごとに、前記コンテンツのコピーの許否を示すコピー制御情報、前記コンテンツを識別するコンテンツ識別情報、及び、前記コンテンツブロックの前記コンテンツ全体における位置を示すコンテンツ位置情報が前記コンテンツブロックに付随して順次送信され、
前記コンテンツ位置情報は、少なくとも、前記コンテンツにおける「先頭部」を示す既定の第一の位置情報および前記コンテンツにおける「終了部」を示す既定の第二の位置情報を含み、
前記第一の位置情報は、前記コンテンツの先頭から続く２以上の所定のコンテンツブロックに対応する制御パケットに格納されて送信され、
前記第二の位置情報は、前記コンテンツの終了へ続く２以上の所定のコンテンツブロックに対応する制御パケットに格納されて送信され、
前記コンテンツ受信方法は、
前記コンテンツブロック、前記コピー制御情報、前記コンテンツ識別情報及び前記コンテンツ位置情報を含む前記コンテンツを受信する受信ステップと、
前記コピー制御情報がコピー許可回数を制限する旨を示している場合には、累積回数が前記コピー許可回数を超えない範囲で、前記コンテンツ識別情報が示すコンテンツを前記記録媒体に記録し、この記録するコンテンツの前記第一の位置情報及び前記第二の位置情報を確認したとき、前記累積回数を１だけ増加するように更新する記録ステップと
を含むことを特徴とするコンテンツ受信方法。
【請求項１９】
複数のコンテンツブロックから構成されるデジタル著作物であるコンテンツを外部から受信し、記録媒体に記録するコンテンツ受信装置のためのプログラムであって、
請求項１８記載のコンテンツ受信方法に含まれるステップをコンピュータに実行させる
ことを特徴とするプログラム。
【発明の詳細な説明】
【技術分野】
【０００１】
本発明は、コンテンツ送信装置及びコンテンツ受信装置に関し、特に、デジタル著作物のコピーに用いられるコンテンツ送信装置及びコンテンツ受信装置に関する。
【背景技術】
【０００２】
ＤＶＤ等の大容量記録媒体の出現により、映像や音楽等のコンテンツが記録された記録媒体をＤＶＤプレーヤ等の再生装置で再生することで、長時間に渡って映像や音楽を楽しむことができるようになってきた。ところが、著作権保護の観点から、これらのコンテンツをＣＤ−Ｒ等の他の記録媒体にデジタルデータのままコピーする行為を制限する必要がある。
【０００３】
従来、このようなコンテンツのコピー制御に関する技術として、様々なものが提案されている（例えば、特許文献１に開示された「記録再生システム」等）。
上記従来の記録再生システムは、記録媒体にコンテンツを記録するときに、大容量記録媒体からのコピー記録であるかムーブ記録であるかを識別する識別情報も一緒に記録しておき、再生時に、その識別情報に応じてコピー可否を判断することで、コンテンツのコピー等を適切に許可／禁止しようとするものである。また、コピー許可回数に基づいてコンテンツのコピーを監視することで、一定回数までのコピーを許可している。
【特許文献１】特開２００１−１２５８３３号公報
【発明の開示】
【発明が解決しようとする課題】
【０００４】
しかしながら、上記従来の記録再生システムでは、コンテンツのコピー時において、そのコンテンツがコピー記録であったのかムーブ記録であったのかを示す識別情報を一度だけ読み出して判断する方式であるために、十分に安全なコピー制御を行っているとは言えない。たとえば、その識別情報が記録媒体から読み出されたときに、その伝送路上において識別情報が捕捉され、他の情報にすりかえられてしまった場合には、もはや、コピー制御が無効となってしまう。つまり、コピーの制限を示す重要なコピー制御情報が一度改ざんされただけで、コンテンツあるいは記録媒体の単位でのコピーが可能となってしまうとう問題がある。
【０００５】
さらに、上記従来の記録再生システムでは、コピー許可回数に基づくコピー制御を行っているが、コンテンツの転送が中断される場合等を考慮していないために、コピー回数の制御が不完全であるという問題がある。たとえば、コピーの先頭でコピー回数がカウントされる場合には、完全なコピーが終了していないにも拘わらず１回のコピーとカウントされてしまうために、ユーザが不利益を被る。その逆に、コピーの終了時に初めてコピー回数がカウントされる場合には、ほとんど全体のコピーが終了しているにも拘わらず１回のコピーとカウントされないために、不正なコピーが繰り返され得る。
【０００６】
そこで、本発明は、このような従来の問題点を解消するためになされたものであり、コンテンツのコピー制御をより安全に行うとともに、コンテンツの転送が中断された場合であっても状況に則して正しくコピー回数をカウントすることができるコンテンツ送信装置及びコンテンツ受信装置等を提供することを目的とする。
【課題を解決するための手段】
【０００７】
上記目的を達成するために、本発明に係るコンテンツ送信装置は、複数のコンテンツブロックから構成されるデジタル著作物であるコンテンツを送信するコンテンツ送信装置であって、前記コンテンツブロックごとに、前記コンテンツのコピーの許否を示すコピー制御情報、前記コンテンツを識別するコンテンツ識別情報、及び、前記コンテンツブロックの前記コンテンツ全体における位置を示すコンテンツ位置情報を前記コンテンツブロックに対応する制御パケットに格納して送信することを前記複数のコンテンツブロックについて繰り返す同期送信手段を備え、前記コンテンツ位置情報は、少なくとも、前記コンテンツにおける「先頭部」を示す既定の第一の位置情報および前記コンテンツにおける「終了部」を示す既定の第二の位置情報を含み、前記第一の位置情報は、前記コンテンツの先頭から続く２以上の所定のコンテンツブロックに対応する制御パケットに格納されて送信され、前記第二の位置情報は、前記コンテンツの終了へ続く２以上の所定のコンテンツブロックに対応する制御パケットに格納されて送信されることを特徴とする。これによって、コピー先の装置において、コンテンツブロックごとに、コピー制御情報に基づくコピー許否の判断が繰り返されるので、より安全なコピー制御が可能になる。さらに、１つのコンテンツにわたってコンテンツ識別情報の同一性が維持され、かつ、コンテンツの各部が転送されたことが確認できた場合に１回のコピーとすることで、コンテンツの転送が中断された場合であっても状況に則して正しくコピー回数がカウントされる。
【０００８】
ここで、前記コンテンツ送信装置はさらに、記録媒体から読み出したコンテンツ識別情報が有効なデータであるか否かを示す有効性フラグを生成する有効性フラグ生成手段を備え、前記同期送信手段は、前記コンテンツ識別情報に前記有効性フラグを付随させて前記コンテンツ識別情報を送信してもよい。たとえば、前記有効性フラグ生成手段は、前記読み出し手段による前記記録媒体の読み出しモードが特殊再生であるか否か判断し、特殊再生である場合に、前記コンテンツ識別情報が無効であることを示す有効性フラグを生成したり、前記コンテンツ識別情報は、複数のデータの連なりからなり、前記有効性フラグ生成手段は、前記読み出し手段によって前記記録媒体から前記複数のデータの連なりが完全に読み出されたか否かを判断し、その結果に基づいて前記有効性フラグを生成したりしてもよい。これによって、コピー先の装置において、有効性フラグをチェックするだけで、コンテンツ識別情報が完全に読み出されていないこと、つまり、完全なコンテンツが転送されないのでコピーを禁止する必要がないことを即座に知ることができる。
【０００９】
また、上記目的を達成するために、本発明に係るコンテンツ受信装置は、複数のコンテンツブロックから構成されるデジタル著作物であるコンテンツを外部から受信し、記録媒体に記録するコンテンツ受信装置であって、前記複数のコンテンツブロックは、前記コンテンツブロックごとに、前記コンテンツのコピーの許否を示すコピー制御情報、前記コンテンツを識別するコンテンツ識別情報、及び、前記コンテンツブロックの前記コンテンツ全体における位置を示すコンテンツ位置情報が前記コンテンツブロックに付随して順次送信され、前記コンテンツ位置情報は、少なくとも、前記コンテンツにおける「先頭部」を示す既定の第一の位置情報および前記コンテンツにおける「終了部」を示す既定の第二の位置情報を含み、前記第一の位置情報は、前記コンテンツの先頭から続く２以上の所定のコンテンツブロックに対応する制御パケットに格納されて送信され、前記第二の位置情報は、前記コンテンツの終了へ続く２以上の所定のコンテンツブロックに対応する制御パケットに格納されて送信され、前記コンテンツ受信装置は、前記コンテンツブロック、前記コピー制御情報、前記コンテンツ識別情報及び前記コンテンツ位置情報を含む前記コンテンツを受信する受信手段と、前記コピー制御情報がコピー許可回数を制限する旨を示している場合には、累積回数が前記コピー許可回数を超えない範囲で、前記コンテンツ識別情報が示すコンテンツを前記記録媒体に記録する記録手段とを備え、前記記録手段は、前記記録するコンテンツの前記第一の位置情報及び前記第二の位置情報を確認したとき、前記累積回数を１だけ増加するように更新することを特徴とする。これによって、コンテンツブロックごとに、コピー制御情報に基づくコピー許否の判断が繰り返されるので、より安全なコピー制御が可能になる。さらに、１つのコンテンツにわたってコンテンツ識別情報の同一性が維持され、かつ、コンテンツの各部が転送されたことが確認できた場合に１回のコピーとすることで、コンテンツの転送が中断された場合であっても状況に則して正しくコピー回数がカウントされる。
【００１０】
なお、本発明は、以上のようなコンテンツ送信装置及びコンテンツ受信装置として実現することができるだけでなく、コンテンツ送信方法及びコンテンツ受信方法として実現したり、その方法をコンピュータに実行させるプログラムとして実現したり、上記コピー制御情報、コンテンツ識別情報及びコンテンツ位置情報を含む制御ブロックが記録された記録媒体として実現することもできる。そして、そのプログラムをインターネット等の伝送媒体又はＤＶＤ等の記録媒体を介して配信することができるのは言うまでもない。
【発明の効果】
【００１１】
本発明により、コンテンツの転送中において、コピー制御情報に基づくコピー許否の判断が繰り返されるので、より安全なコピー制御が可能となる。
また、１つのコンテンツの転送において、コンテンツ識別情報の同一性が維持され、かつ、各部分の転送が終了した場合に、初めて１回のコピーとカウントされるので、コンテンツの転送が中断された場合であっても状況に則して正しくコピー回数がカウントされる。
【００１２】
よって、本発明により、デジタル著作物のコピーにおける著作権が確実に保護されるとともに、適切なコピー回数制御が実現され、情報のデジタル化と記録媒体の大容量化が進む今日における本発明の実用的価値は極めて高いと言える。
【発明を実施するための最良の形態】
【００１３】
以下、本発明の実施の形態について図面を用いて詳細に説明する。
図１は、本発明に係るコンテンツ送信装置の一例としてのコンテンツ再生装置１０と本発明に係るコンテンツ受信装置の一例としてのコンテンツ記録装置２０の概観図である。ここでは、コンテンツ再生装置１０とコンテンツ記録装置２０とがＨＤＭＩ（High-Definition Multimedia Interface）ケーブル３１で接続されている様子が示されている。
【００１４】
コンテンツ再生装置１０は、ＤＶＤプレーヤ等であり、ここでは、ＤＶＤ３０に記録された音楽コンテンツを再生し、ＨＤＭＩケーブル３１を介してコンテンツ記録装置２０にデジタル出力している。
【００１５】
コンテンツ記録装置２０は、記録再生機能を有するＣＤレコーダ・プレーヤ等であり、ＨＤＭＩケーブル３１を介して送られてくる音楽コンテンツをＣＤ３２に記録したり、記録した音楽コンテンツを再生し、ヘッドホン３３に音声出力したりする。
【００１６】
以下、本実施の形態では、コンテンツ再生装置１０に装着されたＤＶＤ３０から、コンテンツ記録装置２０に装着されたＣＤ３２に、音楽コンテンツをコピーするケースを例にとって説明する。
【００１７】
図２は、図１に示されたコンテンツ再生装置１０及びコンテンツ記録装置２０の構成を示す機能ブロック図である。なお、コンテンツ記録装置２０は、コンテンツの記録及び再生機能を備えるが、本図では、記録に関る構成要素だけが示されている。
【００１８】
コンテンツ再生装置１０は、ＤＶＤ３０から読み出したコンテンツをＨＤＭＩケーブル３１を介してデジタル出力する機能を有するＤＶＤプレーヤ等であり、コンテンツ再生部１１、制御部１２、入力部１３、映像音声出力部１４、データ構築部１５及び送信部１６を備える。ＤＶＤ３０は、例えば、ＤＶＤ−Ａｕｄｉｏ規格に沿って音楽コンテンツが記録され、各楽曲は固定長のパケットデータ（つまり、コンテンツブロック）の集まりから構成される。
【００１９】
コンテンツ再生部１１は、装着されたＤＶＤ３０に記録された音楽等のコンテンツを読み出す光ヘッド、復調回路、復号処理部等である。なお、コンテンツ再生部１１によって読み出される情報は、コンテンツだけでなく、図３に示される制御パケットのように、コンテンツに付随する情報も含まれる。
【００２０】
図３は、ＤＶＤ３０に記録される音楽コンテンツ用の制御パケットの構造を示す図である。この制御パケットは、例えば、コンテンツを構成する複数のパケットのヘッダ部等に置かれる２４バイトの制御情報である。各制御情報の意味は以下の通りである。
Ｐａｃｋｅｔ  ｔｙｐｅ：この制御パケットの種別を示す。
ＡＣＰ  Ｔｙｐｅ及びＡＣＰ  ｔｙｐｅ  ｖｅｒｓｉｏｎ：採用されている著作権保護方式を示す。
ＩＳＲＣ（International Standard Recording Code）＿ＣＯＮＳＴ（２ビット）：以下に続く１６バイトＰＢ１〜ＰＢ１６がコンテンツＩＤ（３２バイトのコンテンツ識別情報）の「前半」、「後半」、「前半であるが後半の１６バイトが全てゼロ」、「無効」のいずれであるかを示す。
ｒｅｓ：将来の使用のために確保している領域であること（予約）を示す。
ＩＳＲＣ  Ｓｔａｔｕｓ（コンテンツ位置情報）：この制御パケットに対応するコンテンツデータのコンテンツ全体（例えば、１つの楽曲）における位置（「先頭部」、「中央部」、「終了部」のいずれか）を示す。たとえば、演奏時間が５分である楽曲の先頭から１０秒間のコンテンツデータに対応するコンテンツ位置情報が「先頭部」を示し、続く４分４０秒間のコンテンツデータに対応するコンテンツ位置情報が「中央部」を示し、残る１０秒間のコンテンツデータに対応するコンテンツ位置情報が「終了部」を示すように、予め設定されている。
ＵＰＣ（Universal Product Code）＿ＥＡＮ（European Article Number）＿ＩＳＲＣ  ００／１６〜１５／３１：コンテンツＩＤを構成する前半の１６バイト（又は、後半の１６バイト）を示す。
Ｃｏｐｙ＿ｐｅｒｍｉｓｓｉｏｎ（コピー許可情報）：「無制限」、「１世代のみコピー可」、「禁止」等のいずれかを示す。
Ｃｏｐｙ  ｎｕｍｂｅｒ（コピー許可回数）：Ｃｏｐｙ＿ｐｅｒｍｉｓｓｉｏｎが「１世代のみコピー可」である場合に許可される当該コンテンツのコピー回数を示す。
Ｑｕａｌｉｔｙ：コピー時に許可される品質（サンプリング速度の上限値等）を示す。
Ｔｒａｎｓａｃｔｉｏｎ：コピー時に許可されるトランザクションを示す。
【００２１】
なお、第２４バイトＰＢ０を「コピー制御情報（ＣＣＩ；Copy Control Information）」という。
制御部１２は、入力部１３からのユーザの指示等に基づいて、コンテンツ再生部１１で読み出されたコンテンツを映像音声信号にＤ／Ａ変換して映像音声出力部１４に出力したり、デジタルデータのままデータ構築部１５及び送信部１６を介して外部に出力したりする制御を行うＣＰＵ、制御回路等である。
【００２２】
入力部１３は、ユーザからの指示を取得するためのボタンやキー等である。
映像音声出力部１４は、ＬＣＤやスピーカ等である。
データ構築部１５は、コンテンツをデジタル出力する際に、制御部１２からの指示及びデータに基づいて、コンテンツ、コピー制御情報、コンテンツＩＤ及びコンテンツ位置情報を同期させて送信するように、それらの情報を多重化し、送信部１６に出力する。これによって、あるコンテンツのパケットがデジタル出力されるときに、そのパケットに対応するコピー制御情報、コンテンツＩＤ及びコンテンツ位置情報が同時に（時分割多重されて）出力される。なお、このデータ構築部１５は、これらコンテンツ、コピー制御情報、コンテンツＩＤ及びコンテンツ位置情報の同期をとるために、必要に応じて、コンテンツを遅延させて送出する機能も有する。
【００２３】
送信部１６は、データ構築部１５から受け取ったコンテンツ等のデータをＨＤＭＩケーブル３１を介して出力する通信インターフェースである。
コンテンツ記録装置２０は、ＨＤＭＩケーブル３１を介してコンテンツ再生装置１０から送られてくるコンテンツをコピー制御の下でＣＤ３２に記録する機能を有する音楽ＣＤレコーダ・プレーヤ等であり、受信部２１、データ取り出し部２２、制御部２３、入力部２４、不揮発性メモリ２５及びコンテンツ記録部２６を備える。
【００２４】
受信部２１は、ＨＤＭＩケーブル３１を介して送られてくるコンテンツ等のデータを受け取ってデータ取り出し部２２に出力する通信インターフェースである。
データ取り出し部２２は、受信部２１から送られてくるデータを多重分離することで、コンテンツ、コピー制御情報、コンテンツＩＤ及びコンテンツ位置情報に復元し、制御部２３に出力する。
【００２５】
制御部２３は、入力部２４からのユーザの指示等に基づいて、受信部２１及びデータ取り出し部２２を介してデジタル入力されたコンテンツを、コピー判断部２３ａによるコピー制御の下で、コンテンツ記録部２６に渡してＣＤ３２に記録させる制御を行うＣＰＵ、制御回路等である。
【００２６】
コピー判断部２３ａは、受信部２１及びデータ取り出し部２２から送られてくるコンテンツ及びコンテンツ制御情報等に基づいて、そのコンテンツのコピー可否を判断する処理部である。たとえば、（１）後述する特殊再生のように、完全なコンテンツが送られてきていないと判断できた場合、（２）コピー制御情報に含まれるコピー許可情報が「無制限」を示している場合、及び、（３）コピー許可情報が「１世代のみコピー可」を示し、かつ、このコンテンツ記録装置２０による当該コンテンツの累積コピー回数が、コピー制御情報に含まれるコピー許可回数に達していない場合等にコピー可と判断する。
【００２７】
入力部２４は、ユーザからの指示を取得するためのボタンやキー等である。
不揮発性メモリ２５は、コピー回数テーブル２５ａ等を記憶する書き換え可能な不揮発なメモリである。コピー回数テーブル２５ａは、コンテンツＩＤごとに、このコンテンツ記録装置２０が過去にコピーした回数（累積コピー回数）を記録しておくためのデータテーブルであり、制御部２３によって更新・参照される。
【００２８】
コンテンツ記録部２６は、制御部２３から送られてくるコンテンツ等をＣＤ３２に記録する変調回路、光ヘッド等である。
次に、以上のように構成された本実施の形態におけるコンテンツ再生装置１０及びコンテンツ記録装置２０のコピー動作について説明する。
【００２９】
図４は、ＤＶＤ３０から読み出される情報の種類に着目したコンテンツ再生装置１０の動作手順を示すフローチャートである。
まず、制御部１２は、入力部１３を介したユーザからの指示等によってコピーの対象となるコンテンツが特定されると、コンテンツ再生部１１を介して、そのコンテンツの先頭パケットを読み出し、そこに含まれるコピー制御情報を取り出す（Ｓ１０）。
【００３０】
そして、制御部１２は、そのコピー制御情報に含まれるコピー許可情報に基づいて、コピーが許可されているか否か、つまり、コピー許可情報が「無制限」又は「１世代のみコピー可」を示しているか否かを判断する（Ｓ１１）。その結果、コピーが許可されていない場合には（Ｓ１１でＮｏ）、そのコンテンツのコピー処理を終了する。
【００３１】
一方、コピーが許可されている場合には（Ｓ１１でＹｅｓ）、続いて、今から行うコピーがコピー許可回数情報を使用するコピーか否か、つまり、コピー許可情報が「１世代のみコピー可」を示しているか否かを判断する（Ｓ１２）。
【００３２】
その結果、コピー許可回数情報を使用するコピーである場合には（Ｓ１２でＹｅｓ）、制御部１２は、ＤＶＤ３０から、対応するコンテンツ、コピー制御情報、コンテンツＩＤ及びコンテンツ位置情報を読み出してコンテンツ記録装置２０に同期させて転送するようにコンテンツ再生部１１及びデータ構築部１５等を制御し（Ｓ１３）、一方、コピー許可回数情報を使用するコピーでない場合には（Ｓ１２でＮｏ）、制御部１２は、ＤＶＤ３０から、対応するコンテンツ、コピー制御情報及びコンテンツＩＤを読み出してコンテンツ記録装置２０に同期させて転送するようにコンテンツ再生部１１及びデータ構築部１５等を制御する（Ｓ１４）。
【００３３】
以上の処理（Ｓ１０〜Ｓ１４）を、指定された１つのコンテンツを構成する全てのパケットについて繰り返す。
なお、上記ステップＳ１３において、コピー許可回数情報を使用するコピーを行う場合にコンテンツ位置情報を送信しているのは、後述するように、コンテンツ記録装置２０がコンテンツ位置情報に基づいて１つのコンテンツが完全に転送されたこと（１回分のコピー）を確認できるようにするためである。
【００３４】
また、コンテンツの転送と並行してコピー制御情報及びコンテンツＩＤを繰り返し送信しているのは、コンテンツ記録装置２０がコンテンツのパケット単位でコピー許否の判断を繰り返すことでコピー制御の安全性を高めるため、及び、１つのコンテンツを構成する全てのパケットにおいてコンテンツＩＤが同一であることを確認することで確実に１つのコンテンツが転送されたことを知るためである。
【００３５】
図５は、以上の処理の繰り返しによるコンテンツのコピーにおいてコンテンツ再生装置１０からコンテンツ記録装置２０に転送される情報の時間的な流れを示す図である。ここでは、コピー許可回数情報が必要とされる場合、つまり、コンテンツ位置情報がコンテンツ等とともに転送される様子が示されている。
【００３６】
本図に示されるように、コンテンツ（楽曲「Ｔｒａｃｋ  Ａ」、「Ｔｒａｃｋ  Ｂ」等）がコピー転送される場合には、転送されているコンテンツのパケットに対応したコピー制御情報、コンテンツＩＤ及びコンテンツ位置情報が同期して転送される。コンテンツ位置情報に着目すると、楽曲の先頭部が転送されているときには「先頭部」を示すコンテンツ位置情報が転送され（ここでは、２サイクル以上転送され）、中央部が転送されているときには「中央部」を示すコンテンツ位置情報が転送され、終了部が転送されているときには「終了部」を示すコンテンツ位置情報が転送される（ここでは、２サイクル以上転送される）。このようなコンテンツ位置情報の遷移を確認することで、コピー先のコンテンツ記録装置２０は、１つのコンテンツが完全に転送されたこと（１回分のコピー）を確認することができる。
【００３７】
図６は、コンテンツＩＤの転送に着目したコンテンツ再生装置１０の動作手順を示すフローチャートである。ここでは、コンテンツのコピー時に出力するコンテンツＩＤの有効性を示すフラグを生成するコンテンツ再生装置１０の動作手順が示されている。
【００３８】
まず、制御部１２は、入力部１３を介したユーザからの指示等によって、コンテンツの再生モードが特殊再生か通常再生かを判断する（Ｓ２０）。ここで、特殊再生とは、キュー（高速順方向）再生、レビュー（高速逆方向）再生、スロー（低速順方向）再生等であり、制御パケット内の連続する１６バイトのコンテンツＩＤが完全に読み出される保証がない再生モードである。
【００３９】
通常再生と判断された場合には（Ｓ２０でＮｏ）、制御部１２は、コンテンツ再生部１１によって制御パケット内の１６バイトのコンテンツＩＤを完全に読み出せたか否かを判断する（Ｓ２１）。ここで、完全に読み出せたか否かの判断として、例えば、図３に示されるコンテンツＩＤを構成する１６バイトそれぞれに記録されている「ＩＳＲＣ＿ｎｕｍｂｅｒ」（当該バイトが３２バイトのコンテンツＩＤのいずれであるかを示す番号）が連続しているか否かで判断する。
【００４０】
その結果、コンテンツＩＤを完全に読み出せた場合には（Ｓ２１でＹｅｓ）、その旨（「有効」）を示す有効性フラグを生成し（Ｓ２２）、読み出したコンテンツＩＤとともにコンテンツ記録装置２０に出力する（Ｓ２５）。
【００４１】
一方、再生モードが特殊再生である場合（Ｓ２０でＹｅｓ）、及び、コンテンツＩＤを完全に読み出せなかった場合（Ｓ２１でＮｏ）には、その旨（「無効」）を示す有効性フラグを生成するとともに（Ｓ２３）、空白にした（例えば、ゼロ／ＮＵＬＬで埋めた）コンテンツＩＤを生成し（Ｓ２４）、そのコンテンツＩＤとともに有効性フラグをコンテンツ記録装置２０に出力する（Ｓ２５）。
【００４２】
このように、コンテンツのコピー時に、コンテンツＩＤだけでなく、コンテンツＩＤの有効性を示す有効性フラグもコピー先のコンテンツ記録装置２０に出力することで、コンテンツ記録装置２０は、その有効性フラグの値だけで、コピー制御が不要であることを即座に知ることができる、つまり、特殊再生等によってコンテンツが完全な形で読み出されていないのでコピーを許可してもよいこと等を即座に知ることができる。
【００４３】
図７は、コンテンツ記録装置２０の動作手順を示すフローチャートである。
コピーが開始され、コンテンツがコンテンツ再生装置１０からコンテンツ記録装置２０に送られてくると、コンテンツ記録装置２０のコピー判断部２３ａは、送られてきたコンテンツがコピーの許可されたものであるか否かを判断する（Ｓ３０）。たとえば、（１）同期して送られてきたコピー制御情報に含まれるコピー許可情報が「無制限」若しくは「１世代のみコピー可」を示している、又は、（２）コンテンツＩＤの有効性フラグが「無効」を示している場合には、コピーが許可されていると判断する。
【００４４】
その結果、コピーが許可されていない場合には（Ｓ３０でＮｏ）、このコンテンツのＣＤ３２への書き込みをすることなく終了する。
一方、コピーが許可されている場合には（Ｓ３０でＹｅｓ）、コピー判断部２３ａは、今から行うコピーがコピー許可回数情報を使用するコピーか否か、つまり、コピー許可情報が「１世代のみコピー可」を示しているか否かを判断する（Ｓ３１）。
【００４５】
その結果、コピー許可回数情報を使用するコピーでない場合には（Ｓ３１でＮｏ）、コピー判断部２３ａは、コピー回数を管理する必要のないコピーであると判断し、受け取ったコンテンツをコンテンツ記録部２６を介してＣＤ３２に書き込むように制御する（Ｓ３２）。
【００４６】
一方、コピー許可回数情報を使用するコピーである場合には（Ｓ３１でＹｅｓ）、コピー判断部２３ａは、不揮発性メモリ２５に格納されているコピー回数テーブル２５ａから、コンテンツと同期して受け取っているコンテンツＩＤに対応するコピー回数情報を読み出す（Ｓ３３）。
【００４７】
そして、読み出したコピー回数情報が示す累積コピー回数とコピー制御情報に含まれるコピー許可回数とを比較することで、累積コピー回数がコピー許可回数に達していないかどうかを判断する（Ｓ３４）。
【００４８】
その結果、累積コピー回数がコピー許可回数に達している場合には（Ｓ３４でＮｏ）、コピー判断部２３ａは、このコンテンツのＣＤ３２への書き込みをすることなく終了する。
【００４９】
一方、累積コピー回数がコピー許可回数に達していない場合には（Ｓ３４でＹｅｓ）、コピー判断部２３ａは、このコンテンツを、コンテンツ記録部２６を介してＣＤ３２に書き込むように制御する（Ｓ３５）。
【００５０】
そして、コピー判断部２３ａは、１つのコンテンツを構成する全てのパケットについて以上の処理を繰り返しながら、コンテンツＩＤの同一性及びコピー制御情報に含まれるコンテンツ位置情報の遷移を監視することで、（１）コンテンツＩＤが１つのコンテンツのコピーにおいて常に同一であり、かつ、（２）コンテンツ位置情報が「先頭部」→「中央部」→「終了部」と遷移したか否かを判断する（Ｓ３６）。
【００５１】
その結果、コンテンツＩＤが常に同一であり、かつ、コンテンツ位置情報が「先頭部」→「中央部」→「終了部」と遷移した場合にだけ（Ｓ３６でＹｅｓ）、コピー判断部２３ａは、１つのコンテンツ（例えば、１つの楽曲）が完全にコピーされたと判断し、コピー回数テーブル２５ａ内の当該コンテンツＩＤに対応するコピー回数を１だけインクリメントして更新する（Ｓ３７）。
【００５２】
なお、以上の処理（Ｓ３０〜Ｓ３７）を、１つのコンテンツを構成する全てのパケットについて繰り返すが、コピー回数のインクリメント（Ｓ３７）については、１つのコンテンツの１回のコピーに対して一度だけ行う。
【００５３】
このように、コンテンツ記録装置２０は、１つのコンテンツを構成する全てのパケットについて、コピー制御情報に基づくコピー制御を行うとともに、コピー許可回数が定められたコピーについては、コンテンツＩＤの同一性が保持され、かつ、コンテンツの「先頭部」、「中央部」及び「終了部」の全てが転送されたときに１回のコピーとカウントする。
【００５４】
これによって、１つのコンテンツの転送において、コピー制御情報がコンテンツのパケットと同期して繰り返し転送されてチェックされるので、コピー制御情報の捕捉・すりかえによる不正コピーに対する防御機能が高まるとともに、１つのコンテンツが完全に転送されたときにだけ１回のコピーとカウントされるので、コンテンツの転送が中断した場合であっても状況に則した正しいコピーの回数制御が行われる。
【００５５】
以上、本発明に係るコンテンツ再生装置及びコンテンツ記録装置について、実施の形態に基づいて説明したが、本発明はこの実施の形態に限定されるものではない。
たとえば、本実施の形態では、音楽コンテンツをコピーするケースが説明されたが、本発明は音楽コンテンツに限られるものではなく、映像コンテンツについても適用することができる。
【００５６】
また、コンテンツ再生装置１０とコンテンツ記録装置２０とを接続するインターフェースはＨＤＭＩケーブル３１に限られず、例えば、ＩＥＥＥ１３９４等であってもよい。
また、本実施の形態では、コンテンツ位置情報は、その内容に拘わらず、対応するコンテンツ（パケット）と同期して送信されたが、少なくとも、「先頭部」と「終了部」を示すコンテンツ位置情報が対応するコンテンツと同期して送信されればよい。「中央部」を示すコンテンツ位置情報が対応するコンテンツと時間的にずれて送信された場合であっても、「先頭部」と「終了部」とが確実に確認されれば、１つのコンテンツが完全に転送されたことが確認できるからである。
【００５７】
また、本実施の形態では、コピー回数テーブル２５ａには、コンテンツＩＤと累積コピー回数との対が記録されていたが、本発明は、このような記録方式に限られず、例えば、コンテンツＩＤと格納位置とを対応づけておくことで、コピー回数テーブルに累積コピー回数だけを記録してもよい。
【００５８】
また、本実施の形態では、ＤＶＤ３０に記録される制御パケットの例として、図３に示されるタイプ「０４」のパケットが示されたが、本発明は、このようなタイプの制御パケットだけに限られず、例えば、図８（ａ）に示されるタイプ「０５」の制御パケットや図８（ｂ）に示されるタイプ「０６」の制御パケットであってもよい。
【００５９】
図８（ａ）に示されるタイプ「０５」の制御パケットの第２バイトＨＢ１において、ＩＳＲＣ＿ＣＯＮＳＴは、ＩＳＲＣを２パケットで分割送信するか、ｒｅｓｅｒｖｅｄを示す「０」を圧縮することによってＩＳＲＣを１パケットで送信するかを示すフラグである。つまり、ＩＳＲＣ＿ＣＯＮＳＴが「１」のときは、このパケットと続くタイプ「０６」のパケット（図８（ｂ））の２パケットによって３２バイトのＩＳＲＣが構成されることを示し、一方、ＩＳＲＣ＿ＣＯＮＳＴが「０」のときは、ＵＰＣ＿ＥＡＮ＿ＩＳＲＣ  １６〜３１を送信しない（全てがデフォルト値「０」である）ことを示す。また、ＩＳＲＣ＿Ｖａｌｉｄは、このパケットに含まれるＩＳＲＣ＿ＳｔａｔｕｓとＵＰＣ＿ＥＡＮ＿ＩＳＲＣ＿ｘｘに置かれているデータが有効か否かを示し、本実施の形態における有効性フラグに相当する。
【産業上の利用可能性】
【００６０】
本発明は、映像や音楽等のデジタルコンテンツをコピーするのに用いられるコンテンツ送信装置及びコンテンツ受信装置として、例えば、ＤＶＤ、ＣＤ、ＩＣメモリ等の記録媒体用のレコーダ／プレーヤ等として、特に、デジタル著作物の著作権を保護しながらコンテンツのコピーを行うコンテンツ再生・記録装置等として利用することができる。
【図面の簡単な説明】
【００６１】
【図１】本発明に係るコンテンツ再生装置とコンテンツ記録装置の概観図である。
【図２】図１に示されたコンテンツ再生装置及びコンテンツ記録装置の構成を示す機能ブロック図である。
【図３】ＤＶＤに記録される音楽コンテンツ用の制御パケットの構造を示す図である。
【図４】ＤＶＤから読み出される情報の種類に着目したコンテンツ再生装置の動作手順を示すフローチャートである。
【図５】コンテンツ再生装置からコンテンツ記録装置に転送される情報の時間的な流れを示す図である。
【図６】コンテンツＩＤの転送に着目したコンテンツ再生装置の動作手順を示すフローチャートである。
【図７】コンテンツ記録装置の動作手順を示すフローチャートである。
【図８】ＤＶＤに記録される音楽コンテンツ用の他の制御パケットの構造を示す図である。
【符号の説明】
【００６２】
１０    コンテンツ再生装置
１１    コンテンツ再生部
１２    制御部
１３    入力部
１４    映像音声出力部
１５    データ構築部
１６    送信部
２０    コンテンツ記録装置
２１    受信部
２２    データ取り出し部
２３    制御部
２３ａ  コピー判断部
２４    入力部
２５    不揮発性メモリ
２５ａ  コピー回数テーブル
２６    コンテンツ記録部
３０    ＤＶＤ
３１    ＨＤＭＩケーブル
３２    ＣＤ
３３    ヘッドホン３３
【図１】
0004643164.tif 000002
【図２】
0004643164.tif 000003
【図３】
0004643164.tif 000004
【図４】
0004643164.tif 000005
【図５】
0004643164.tif 000006
【図６】
0004643164.tif 000007
【図７】
0004643164.tif 000008
【図８】
0004643164.tif 000009